(57)【特許請求の範囲】
【請求項１】
絞りを有する光学系により形成される被写体の像を撮像し信号を出力する撮像素子と、
前記信号に基づいて生成された画像を表示する表示部と、
操作により前記撮像素子による撮像を指示する操作部と、
前記信号に基づいて、前記操作部の操作に基づく撮影の絞りの値である第１の絞り値を算出する算出部と、
前記第１の絞り値と、前記撮像素子で繰り返し撮像された信号に基づく画像を前記表示部に表示するスルー画表示用の撮影の絞りの値である第２の絞り値との差に基づいて、前記第２の絞り値を前記第１の絞り値に基づいて変更する制御と、前記第２の絞り値を変更しない制御とを行う制御部と、
を有する撮像装置。
【請求項２】
前記制御部は、前記第１の絞り値が前記第２の絞り値より大きく、前記第１の絞り値と前記第２の絞り値との差が第１の値より大きくなると、前記第２の絞り値を前記第１の絞り値に基づいて変更する制御を行う、
請求項１に記載の撮像装置。
【請求項３】
前記制御部は、前記第１の絞り値が前記第２の絞り値より大きく、前記第１の絞り値と前記第２の絞り値との差が第１の値以下であると、前記第２の絞り値を変更しない制御を行う、
請求項１または２に記載の撮像装置。
【請求項４】
前記制御部は、前記第１の絞り値が前記第２の絞り値よりも小さくなると、前記第２の絞り値を前記第１の絞りに基づいて変更する、
請求項１から３のいずれか一項に記載の撮像装置。
【請求項５】
前記制御部は、前記第２の絞り値を前記第１の絞り値に基づいて変更する場合は、前記第１の絞り値よりも小さい値に変更する、
請求項１から４のいずれか一項に記載の撮像装置。
【請求項６】
前記信号に基づいて前記被写体の像の位置と撮像素子とのずれを検出する検出部と、
を有し、
前記制御部は、前記撮像素子による撮像、前記第１の絞り値の算出、前記表示部の表示及び前記ずれ量の検出を繰り返し行わせ、前記操作部の操作が行われると、前記光学系の絞りを前記第１の絞り値に変更して撮像を行う、
請求項１から５のいずれか一項に記載の撮像装置。
【発明の詳細な説明】
【技術分野】
【０００１】
本発明は、撮像装置に関する。
【背景技術】
【０００２】
ライブビュー画像と称されるモニタ用の画像を表示するカメラが知られている。また、被写体の明るさが変化すると、露出補正のために撮影レンズの絞りが頻繁に駆動される（特許文献１参照）。そのため、絞りが頻繁に駆動されることで、ライブビュー画像の画面の明るさが変化する問題があった。
【先行技術文献】
【特許文献】
【０００３】
【特許文献１】日本国特開２０１８−３３０６１号公報
【発明の概要】
【０００４】
本発明の一態様によると、撮像装置は、絞りを有する光学系により形成される被写体の像を撮像し信号を出力する撮像素子と、前記信号に基づいて生成された画像を表示する表示部と、操作により前記撮像素子による撮像を指示する操作部と、前記信号に基づいて、前記操作部の操作に基づく撮影の絞りの値である第１の絞り値を算出する算出部と、前記第１の絞り値と、前記撮像素子で繰り返し撮像された信号に基づく画像を前記表示部に表示するスルー画表示用の撮影の絞りの値である第２の絞り値との差に基づいて、前記第２の絞り値を前記第１の絞り値に基づいて変更する制御と、前記第２の絞り値を変更しない制御とを行う制御部と、を有する。
【図面の簡単な説明】
【０００５】
【図１】カメラシステムを例示する斜視図である。
【図２】図１のカメラの要部構成を説明するブロック図である。
【図３】図３（ａ）から図３（ｄ）は、第１の絞り値および第２の絞り値を説明する図である。
【図４】図４（ａ）から図４（ｄ）は、第１の絞り値および第２の絞り値を説明する図である。
【図５】図５（ａ）から図５（ｃ）は、第１の絞り値および第２の絞り値を説明する図である。
【図６】ボディ側制御部がライブビューモード時に実行する処理の一例を説明するフローチャートである。
【発明を実施するための形態】
【０００６】
以下、図面を参照して発明を実施するための形態について説明する。
図１は、発明の一実施の形態によるカメラボディ２に交換レンズ３が装着される前のカメラシステム１の斜視図である。カメラボディ２と交換レンズ３の結合は、ボディ側マウント２１０とレンズ側マウント３１０のバヨネット構造により行われる。カメラボディ２と交換レンズ３が結合すると、各マウントに設けられた端子同士が物理的に接触し、カメラボディ２と交換レンズ３とが電気的に接続される。図２を使って後述するが、カメラボディ２はレリーズボタンなどの操作部材２８０および撮像素子２６０を備える。
図１にはレンズ交換式のカメラシステム１を例示するが、カメラシステム１は、カメラボディとレンズとが一体型のカメラ及びビデオカメラでもよい。
【０００７】
図２は、第１の実施形態によるカメラシステム１の要部構成を説明するブロック図である。
＜交換レンズ＞
交換レンズ３は、レンズ側マウント３１０、レンズ側制御部３３０、レンズ側通信部３４０、レンズ側記憶部３５０、撮影レンズ３６０、レンズ駆動部３７０、および絞り駆動部３８０を有する。
【０００８】
円環状のレンズ側マウント３１０には、レンズ側端子保持部３２０が設けられる。レンズ側端子保持部３２０は、光軸Ｏを中心とした円弧状に複数のレンズ側端子を有する。複数のレンズ側端子には、例えば、交換レンズ３がカメラボディ２に装着されたことを示すことをカメラボディ２に伝える装着検出用端子、交換レンズ３とカメラボディ２との間の通信で使用する複数の通信用端子、カメラボディ２から交換レンズ３へ電力が供給される給電用端子、および接地用（グラウンド）端子などが含まれる。
【０００９】
レンズ側制御部３３０は、マイクロコンピュータおよびその周辺回路等から構成される。レンズ側制御部３３０は、レンズ側記憶部３５０に記憶されている制御プログラムを実行して交換レンズ３の各部を制御する。レンズ側制御部３３０は、レンズ側通信部３４０、レンズ側記憶部３５０、レンズ駆動部３７０および絞り駆動部３８０と接続される。
【００１０】
レンズ側通信部３４０は、交換レンズ３がカメラボディ２に装着された状態でボディ側通信部２４０との間で所定の通信を行う。レンズ側通信部３４０は、レンズ側制御部３３０および上述したレンズ側端子と接続される。接触しているレンズ側端子とボディ側端子を介してレンズ側通信部３４０とボディ側通信部２４０との間で行われる通信により、レンズ制御部３３０による後述するレンズ３６１などの移動等の指示が行われる。またカメラボディ２から交換レンズ３のレンズ制御部３３０へはレンズ駆動部３７０の状態を示す情報などの交換レンズ３内の情報をカメラボディ２へ送信する送信要求が送られる。
【００１１】
前述のレンズ駆動部３７０の状態を示す情報とは、例えば、上記レンズ駆動部３７０がレンズ３６１を駆動中である状態を示す情報である。一方、移動後のレンズ３６１の位置や交換レンズ３における駆動部の状態などを示すデータ、レンズ側記憶部３５０から読み出されたデータ、撮影距離や撮影倍率に関する情報などが、交換レンズ３内の情報としてカメラボディ２へ送信される。
【００１２】
レンズ側記憶部３５０は、不揮発性の記憶媒体によって構成される。レンズ側記憶部３５０は、レンズ側制御部３３０によってデータの記録と読み出しが制御される。レンズ側記憶部３５０は、レンズ側制御部３３０が実行する制御プログラム等を記憶する他に、交換レンズ３の機種名を示すデータ（機種名情報とも称する）や、撮影レンズ３６０の焦点距離や収差情報などの光学特性を示すデータ等を記憶する。なお、レンズ記憶部３５０に記憶されているデータには、後に詳述する第１の絞り値と第２の絞り値との間の光学特性の差に基づく誤差許容値を含めてもよい。
【００１３】
撮影レンズ３６０は、カメラボディ２の撮像素子２６０の撮像面に被写体光を導く。撮影レンズ３６０の光軸Ｏは、レンズ側マウント３１０およびボディ側マウント２１０の中心と一致する。撮影レンズ３６０は、フォーカシングレンズやズームレンズを含む複数のレンズ３６１と、絞り３６２とによって構成される。なおレンズ３６１は複数のレンズを有するが図２では簡略化して１つのレンズとして図示している。撮影レンズ３６０の少なくとも一部は、レンズ駆動部３７０や手動操作により、光軸Ｏ方向に進退移動が可能に構成されている。
例えばフォーカシングレンズは、レンズ駆動部３７０により、光軸Ｏ方向に進退移動が可能に構成されている。フォーカシングレンズが移動することにより、撮影レンズ３６０の焦点位置が調節される。
【００１４】
絞り３６２は、複数枚の絞り羽根を有するいわゆる開口絞りであり、絞り羽根を駆動することで撮影レンズ３６０の開口径（絞り値）を変化させて撮像素子２６０へ入射する光量を調節する。絞り駆動部３８０が絞り羽根を駆動し開口径（絞り値）を変化させる。
絞り駆動部３８０は、ステッピングモータおよび絞り駆動機構によって構成される。絞り駆動部３８０は、レンズ側制御部３３０からの指示に基づき、絞り３６２の絞り羽根を駆動して開口径を変化させる。また、絞り駆動部３８０は、絞り羽根近傍に設けたエンコーダ、または、パルスカウンタを用いて絞り羽根の駆動量を計測することで絞り３６２の開口値を検出する。
【００１５】
レンズ駆動部３７０は、ステッピングモータを含むレンズ駆動機構によって構成される。レンズ駆動部３７０は、レンズ側制御部３３０から出力される駆動信号により、レンズ３６１を構成するフォーカシングレンズを光軸Ｏの方向に沿って移動させる。フォーカシングレンズの移動方向や移動量、移動速度などは、例えば、ボディ側制御部２３０から指示される。レンズ駆動部３７０はレンズ近傍に設けたエンコーダまたはステッピングモータの駆動ステップ等によってフォーカシングレンズの位置を検出する。
【００１６】
＜カメラボディ＞
カメラボディ２は、ボディ側マウント２１０、ボディ側制御部２３０、ボディ側通信部２４０、電源部２５０、撮像素子２６０、信号処理部２７０、操作部材２８０、および表示部２９０を有する。また、記録ユニット１００がカメラボディ２に対して着脱可能に構成される。
【００１７】
円環状のボディ側マウント２１０には、ボディ側端子保持部２２０が設けられる。ボディ側端子保持部２２０は、複数のボディ側端子を有する。複数のボディ側端子には、例えば、交換レンズ３が装着されたことが伝えられる装着検出端子、カメラボディ２と交換レンズ３との間の通信で使用される複数の通信用端子、カメラボディ２から交換レンズ３へ電力が供給される給電用端子、および接地用（グラウンド）端子が含まれる。
【００１８】
ボディ側制御部２３０は、記憶部２３５を有し、マイクロコンピュータおよびその周辺回路等から構成される。ボディ側制御部２３０は、記憶部２３５に記憶されている制御プログラムを実行してカメラボディ２内の各部を制御する。ボディ側制御部２３０は、ボディ側通信部２４０、電源部２５０、撮像素子２６０、信号処理部２７０、操作部材２８０、表示部２９０、記録ユニット１００および上述した装着検出端子と接続される。
【００１９】
ボディ側制御部２３０に備えられた記憶部２３５は、ボディ側制御部２３０によってデータの記録と読み出しが制御される。記憶部２３５は、ボディ側制御部２３０が実行する制御プログラム等を記憶する他に、ボディ側通信部２４０で受信された交換レンズ３の機種名情報、交換レンズ３の光学特性を示すデータ等を記憶することができる。
【００２０】
ボディ側通信部２４０は、カメラボディ２に交換レンズ３が装着された状態で、レンズ側通信部３４０との間で上述した通信を行う。ボディ側通信部２４０は、ボディ側制御部２３０および上述した通信用端子と接続される。
電源部２５０は、不図示の電池の電圧をカメラシステム１の各部で使用される電圧に変換し、カメラボディ２の各部、および、交換レンズ３へ供給する。電源部２５０は、ボディ側制御部２３０の指示により、給電先ごとに給電のオンとオフとを切換え可能である。電源部２５０は、ボディ側制御部２３０および上述した給電用端子と接続される。
【００２１】
撮像素子２６０は、行方向および列方向に２次元状に画素が配置された、例えばＣＭＯＳイメージセンサやＣＣＤイメージセンサ等の固体撮像素子である。撮像素子２６０は、ボディ側制御部２３０からの制御信号により、撮像面の被写体像を撮像して撮像信号を出力する。撮像素子２６０は、ボディ側制御部２３０および信号処理部２７０と接続される。
【００２２】
撮像素子２６０は、撮像面に配置された画像生成用の画素（撮像用画素と称する）と焦点検出用の画素（焦点検出用画素と称する）とを有する。撮像用画素で生成される信号（以下、撮像用画素信号と呼ぶ）は、後述する信号処理部２７０によって画像データの生成に用いられる。また、焦点検出用画素で生成される信号（以下、焦点検出用画素信号と呼ぶ）は、後述する信号処理部２７０によって撮像素子２６０撮像面における交換レンズ３による像の結像状態、換言すると後述するデフォーカス量を検出する焦点検出処理に用いられる。
なお、複数の光電変換部を有し、撮像用にも焦点検出用にも使用可能な信号を出力する画素を撮像素子２６０に設ける構成にしてもよい。
【００２３】
信号処理部２７０は、撮像素子２６０の撮像用画素から出力された撮像用画素信号に対して所定の画像処理を行って画像データを生成する。生成された画像データは、記録ユニット１００に所定のファイル形式で記録されたり、表示部２９０による画像表示に用いられたりする。信号処理部２７０は、ボディ側制御部２３０、撮像素子２６０、および表示部２９０と接続される。
【００２４】
また、信号処理部２７０は、撮像素子２６０の焦点検出用画素から出力された焦点検出用画素信号を用いて、位相差検出方式によって交換レンズ３のデフォーカス量を算出する。デフォーカス量は、交換レンズ３が形成した被写体の像の位置（結像面）と撮像素子２６０の撮像面位置とのずれ量である。信号処理部２７０は、算出したデフォーカス量に基づいて、特定の被写体の像が交換レンズ３によって撮像素子２６０の撮像面に形成されるときのフォーカシングレンズの位置である合焦位置までのフォーカシングレンズの移動量を算出する。
【００２５】
ボディ側制御部２３０は、測光演算部としても機能する。ボディ側制御部２３０は、撮像素子２６０から信号処理部２７０に入力された撮像用画素信号に基づいて被写体の明るさ情報（Ｂｖ値）を検出する。ボディ側制御部２３０は、Ｂｖ値と、記憶部２３５に格納されているプログラム線図の情報とに基づいて、絞り値（Ａｖ値）、シャッタ速度（Ｔｖ値）、および撮影感度（Ｓｖ値）を決定する。撮影感度は、ＩＳＯ感度とも呼ばれ、撮像素子２６０における光電変換時のゲインである。なお、Ａｖ値、Ｔｖ値およびＳｖ値は、撮影モードに応じてそれぞれアペックス演算によって算出される値である。
【００２６】
記録ユニット１００は、不揮発性の記憶媒体のメモリーカードである。記録ユニット１００は、カメラボディ２の外装面から内側に設けられた不図示の差し込み部に装着される。記録ユニット１００は、ボディ側制御部２３０によって画像データの記録と読み出しが制御される。
【００２７】
レリーズボタンや種々の操作スイッチ等を含む操作部材２８０は、カメラボディ２の外装面に設けられる。ユーザは、操作部材２８０を操作することにより、撮影モードなどの設定や後述するライブビューモードの設定等を行う。
撮影モードの設定とは、撮影する画像を静止画とするか動画とするかの設定や、上述したＡｖ値、Ｔｖ値およびＳｖ値をすべてカメラ自動で決定するか、または、上述したＡｖ値、Ｔｖ値およびＳｖ値の一部若しくは全てをユーザ自身が決定するか、などの設定である。
レリーズボタンには半押しと全押しの２段階の押下操作が加わる。全押し操作が行われると、ボディ側制御部２３０に撮像の指示が与えられ、撮像素子２６０で撮像し信号処理部２７０で生成された画像が記録ユニット１００に記憶される。半押し操作は、全押し時の押し下げ量の半分程度までの押し下げ操作であり、撮影準備動作が行われる。
【００２８】
表示部２９０は、例えば有機ＥＬや液晶表示パネルを備える。表示部２９０は、ボディ側制御部２３０からの指示により、信号処理部２７０によって処理された画像データに基づく画像や、操作メニュー画面等を表示する。表示部２９０は、ボディ側制御部２３０および信号処理部２７０と接続される。
また、表示部２９０は、撮像素子２６０により繰り返し撮像された信号に基づく画像データを、動的に逐次表示するいわゆるライブビュー画像表示することも可能である。このライブビュー画像表示は、レリーズボタンの全押し操作による撮像により生成される画像よりも低画質でもよい。
ライブビュー画像表示は、再生モードや設定モード以外の撮影モードでカメラシステム１の電源がオンの状態で行われる。
本実施の形態では、ライブビュー画像の表示に以下に示す３つのライブビューモードを有し、いずれかのライブビューモードが選択可能に構成されている。
【００２９】
第１のライブビューモードは、ユーザ設定による撮影時の各種設定を反映せずに表示画像の見やすさを重視したライブビュー画像の表示である。第１のライブビューモードは、撮像用画素信号を基にライブビュー画像の生成や露出演算などを行い、焦点検出用画素信号を基に焦点検出処理などを行うモードである。
ユーザ設定による撮影時の各種設定とは、ユーザの所望の画像効果を得るための、シャッタースピード、絞り値及び露出などの設定である。絞り値を大きく設定（絞り開口を絞る）した場合、第１のライブビューモードでは絞りを設定した絞り値まで絞り込むことなくライブビュー画像の見やすさを重視するため明るい画像を表示する。つまり第１のライブビューモードでは、ライブビュー画像を生成する撮像信号から精度の良い測距演算が可能な所定の値（後述する第２の絞り値であるライブビュー用絞り値）までしか絞りを絞らない。この第１のライブビューモードは、表示するライブビュー画像を光学ファインダ（いわゆるＯＶＦ）にできるだけ近い状態で表示するモードである。そのため第１のライブビューモードでは、仮にユーザが露出補正を設定していても、ライブビュー画像はそのユーザが設定している露出補正を考慮せずに表示する。より具体的に述べると、ユーザが−１／３段の露出補正を設定していても、ライブビュー表示される画像は暗い画像とはならない。
【００３０】
第２のライブビューモードは、ユーザ設定による本撮影時の各種設定を反映したライブビュー画像の表示である。第１のライブビューモードと同様に、撮像用画素信号を基にライブビュー画像の生成や露出演算などを行い、焦点検出用画素信号を基に焦点検出処理などを行うモードである。第２のライブビューモードでは本撮影時の設定に基づいて本撮影時の露出をシミュレートして表示部２９０に画像を表示する。ただし、ライブビュー画像を生成した撮像信号から測距演算を可能とするため絞り値を測距可能な所定の値（後述する第２の絞り値であるライブビュー用絞り値）までしか絞らない。ライブビュー画像として表示する画像は、画像処理により暗い画像とする。前述したように第１のライブビューモードではユーザの設定を必ずしも反映させないが、第２のライブビューモードでは、例えば、ユーザが露出補正を設定している場合には、ライブビュー画像はそのユーザが設定している露出補正を反映して表示する。より具体的に述べると、ユーザが−１／３段の露出補正を設定している場合は、ライブビュー表示される画像は１／３段暗い画像となる。
【００３１】
第３のライブビューモードは、表示するライブビュー画像にユーザ設定による撮影設定を全て反映させるモードである。第３のライブビューモードでは、本撮影のための各種演算を行わない。第３のライブビューモードでは本撮影時の設定として絞り値を大きく設定した場合は、設定した絞り値まで絞り込んで撮像する。そのためライブビュー表示される画像は暗くなるが、設定絞り値の被写界深度が確認でき、本撮影のプレビューが行える。
【００３２】
本実施の形態では、上述したカメラシステム１において、ライブビューモードが第１および第２のいずれかのライブビューモードであると、表示部２９０にライブビュー画像を表示するとともに、撮像用画素信号や焦点検出用画素信号によりボディ側制御部２３０は露出演算及びデフォーカス量の算出などを行う。この露出演算及びデフォーカス量の算出は、ライブビュー表示の間、繰り返し行われる。演算された露出演算結果は以降のライブビュー画像のための撮像及びレリーズボタン押下操作による撮影のための各種設定に使用される。ライブビュー画像の表示中に算出されたデフォーカス量はレリーズボタンの半押し操作があった場合にフォーカシングレンズの駆動の指示に使用される。
以下では、操作部の設定により、撮影時の絞り値が露出演算結果からボディ側制御部２３０により自動で決定される場合の説明を行う。すなわち、撮影モードとしてプログラム自動露出演算モードまたはシャッタ速度優先露出演算モード、あるいは感度設定も演算で行うフルオートモードが設定されている。
【００３３】
＜２つの絞り値＞
ボディ側制御部２３０は、２つの絞り値を設定する。１つ目の絞り値は、操作部材２８０を構成するレリーズボタンが押下操作（全押し）され撮像（本撮影）時に適用する第１の絞り値（撮影用絞り値とも称する）であり、上述したアペックス露出演算に基づく値である。
【００３４】
２つ目の絞り値は、詳しくは図３〜５を用いて後述するが、表示部２９０にライブビュー画像を表示するための撮像時、つまり露出演算及びデフォーカス量の算出に適用する第２の絞り値（ライブビュー用絞り値とも称する）である。
第２の絞り値は第１の絞り値よりも小さい（絞りが開いている）方が良い。なぜならば撮影レンズ３６０の絞り３６２の絞り値が変わると被写体像の焦点深度（測距の許容幅）が変化するからである。絞り３６２の絞り値が小さい（絞りを開ける）場合の焦点深度は浅く、絞り値が大きい（絞りを絞る）場合の焦点深度は深くなる。このため、本撮影で設定されている絞り値よりも大きい絞り値（絞りを絞る）でデフォーカス量の演算をすると、正確な値を算出できない。また、絞り値により撮影レンズ３６０の収差に起因する最良像面が変化することから、デフォーカス量の演算時の絞り（第２の絞り値）は撮影時の絞り値（第１の絞り値）と同じであるとなお良い。
被写体の明るさの変化に追従して第１の絞り値は露出演算により変化する。しかし頻繁に被写体の明るさが変化する場合に、第１の絞り値の変化に合わせてライブビュー表示中の第２の絞り値を頻繁に変化させて絞り羽根を駆動してしまうと、絞り駆動部３８０が発する音（駆動音）が問題になりやすくなる。また、表示部２９０に表示される画像の明るさの急な変化によるライブビュー画像のちらつきも問題になりやすくなる。
【００３５】
本実施の形態によるボディ側制御部２３０は、ライブビューモード時において、測光値に基づいて上記第１の絞り値を含む制御値を算出し、算出した各値を記憶部２３５に記憶させておく。ボディ側制御部２３０は、レリーズボタンが全押し操作された場合に、記憶部２３５に記憶されている第１の絞り値となるように絞り３６２を駆動させるように絞り駆動部３８０へ指示して撮影を行って記録用の画像を取得する。
【００３６】
また、本実施の形態では、被写体の明るさが頻繁に変化しても、ライブビュー画像の撮像時に絞り３６２の駆動が頻繁に行われないように、ボディ側制御部２３０が第１の絞り値の変化に比べて変化が少ない第２の絞り値を算出する。ライブビュー表示中は、第２の絞り値となるように絞り３６２を駆動させて、ライブビュー画像を取得させる。
【００３７】
ボディ側制御部２３０は、ライブビュー画像を取得すると新たな測光値に基づいて上記第１の絞り値を含む制御値を算出し直し、算出した各値を記憶部２３５に更新記憶させておく。また、ボディ側制御部２３０は、第２の絞り値についても算出し直し、算出した値を記憶部２３５に更新記憶させておく。ボディ側制御部２３０は、レリーズボタンが押下（全押し）操作されない場合には、絞り３６２の絞り値が記憶部２３５に記憶されている第２の絞り値となるように絞り３６２を駆動させて、ライブビュー画像を取得させる。
【００３８】
＜第１および第２の絞り値の演算＞
ライブビューモード時の第１の絞り値および第２の絞り値の演算について、さらに詳細に説明する。
図３（ａ）〜（ｄ）は、第１の絞り値および第２の絞り値を説明する図である。上段の線が第１の絞り値（撮影用絞り値）を示し、下段の線が第２の絞り値（ライブビュー用絞り値）を示す。第１の絞り値および第２の絞り値の単位は、それぞれ露出演算値（アペックス演算値）であり、開放側絞り値をＡｖ１とし、小径側絞り値をＡｖ６まで表示している。絞り３６２の開放値や最小値は、例えば交換レンズ３の機種ごとに適宜変更して構わない。ボディ側制御部２３０によって演算された第１の絞り値および第２の絞り値は、各線上における三角形（▽）の位置によって表される。
図３（ａ）の例では演算された第１の絞り値（撮影用絞り値）がＡｖ４、第２の絞り値（ライブビュー用絞り値）がＡｖ３．５である。
【００３９】
ボディ側制御部２３０は、例えばライブビュー表示のフレームレートに同期して撮像素子２６０を蓄積制御する。そして、上述したように、蓄積によって撮像素子２６０の撮像用画素で生成された撮像用画素信号の信号値（測光値とも称する）に基づいてＢｖ値を求める。そしてさらに、Ｂｖ値と記憶部２３５に格納されているプログラム線図の情報とに基づき、第１の絞り値（Ａｖ値）、シャッタ速度（Ｔｖ値）、および感度（Ｓｖ値）を決定する。第１の絞り値（Ａｖ値）、シャッタ速度（Ｔｖ値）、および感度（Ｓｖ値）は、制御値として記憶部２３５に記憶させておく。
ボディ側制御部２３０は、このような第１の絞り値（Ａｖ値）を含む制御値の演算を、撮像素子２６０の撮像用画素信号が信号処理部２７０に入力される毎に行い、算出した制御値を記憶部２３５に更新記録する。
【００４０】
ボディ側制御部２３０は、ライブビューモード時に初回の第１の絞り値（Ａｖ値）を演算すると、第１の絞り値（Ａｖ値）より開放側に、例えばアペックス値で１段分の許容範囲（破線の四角形で表示）を設定する。上述したように、ライブビュー画像の焦点検出用画素信号により制御部２３０はデフォーカス量の算出などを行うため、撮影用に設定された第１の絞り値よりも、被写体像の焦点深度の浅い絞り値を第２絞り値として設定する。本実施の形態では、第１の絞り値そのものと第１の絞り値よりも１段開放側との間の範囲を第２の絞り値を設定する範囲としてとしており、これを許容範囲と称している。そして、初回の第２の絞り値（Ａｖ値）として、その許容範囲の中間値（開放側から１／２段の絞り値）に決定する。図３（ａ）の例では第１の絞り値（撮影用絞り値）がＡｖ４であるので、第２の絞り値（ライブビュー用絞り値）はＡｖ４の１段分開放側のＡｖ３との中間値であるＡｖ３．５に決定される。
なお、許容範囲としてアペックス値で開放側に１段分を例示するが、１段分に限られず、開放側に２段分でも０．５段分でもよい。あるいは許容範囲の上限（小径側）と下限（開放側）を、交換レンズ３の情報（焦点距離、開放絞り値等）によって異ならせてもよい。
また、許容範囲の中間値を第２の絞り値（Ａｖ値）に決定する例を説明するが、範囲のちょうど中間値ではない値（例えば開放側から１／３段、あるいは５／６段など）を第２の絞り値（Ａｖ値）としてもよい。
【００４１】
図３（ｂ）は、図３（ａ）の状態よりも被写体の明るさが明るくなった場合の第１の絞り値および第２の絞り値を説明する図である。図３（ａ）で説明したように、ボディ側制御部２３０は、第１の絞り値（Ａｖ値）を決定する。
【００４２】
図３（ｂ）の状態では、図３（ａ）の状態よりも第１の絞り値（撮影用絞り値）が小径側（Ａｖ値が大きく）へ変更され、第１の絞り値はＡｖ４．４であり、これに合わせて第１の絞り値に基づく第２絞り値の許容範囲（破線の四角形で表示）も小径側へ移動する。ボディ側制御部２３０は、前回図３（ａ）の状態で決定した第２の絞り値（Ａｖ値）が、今回演算した第１の絞り値に基づく許容範囲（図３（ｂ）の破線四角形で表示）に含まれるか判定する。前回（図３（ａ））で設定したＡｖ３．５が、今回の一段分の許容範囲（Ａｖ３．４〜４．４）の中にあるので図３（ａ）の第２の絞り値（Ａｖ値）を変更しないでＡｖ３．５のまま維持する。第２の絞り値（Ａｖ値）を維持することによって、ライブビューモード時の絞り３６２の駆動の頻度を抑えることができる。
【００４３】
図３（ｃ）は、図３（ｂ）の状態よりも被写体の明るさがさらに明るくなった場合の第１の絞り値および第２の絞り値を説明する図である。ボディ側制御部２３０は、第１の絞り値（Ａｖ値）を決定する。
【００４４】
図３（ｃ）の状態では、図３（ｂ）の状態よりも第１の絞り値（Ａｖ値）が小径側へ変更され、第１の絞り値はＡｖ４．８であり、第１の絞り値に基づく第２絞り値の許容範囲範囲（破線四角形で表示）も小径側へ移動する。ボディ側制御部２３０は、維持している図３（ａ）の第２の絞り値（点線の三角形Ａｖ３．５）が、今回演算した第１の絞り値（Ａｖ４．８）に基づく第２絞り値の許容範囲（図３（ｃ）の破線の四角形で表示したＡｖ３．８〜４．８）から外れるため、第２の絞り値（Ａｖ値）を小径側へ変更する。今回演算した第２絞り値の許容範囲（Ａｖ３．８〜４．８）の中間値であるＡｖ４．３（実線の三角形で示す）を第２の絞り値（Ａｖ値）として決定する。
【００４５】
図３（ｄ）は、図３（ｃ）の状態よりも被写体の明るさがさらに明るくなった場合の第１の絞り値および第２の絞り値を説明する図である。ボディ側制御部２３０は、第１の絞り値（Ａｖ値）を決定する。
【００４６】
図３（ｄ）の状態では、図３（ｃ）の状態よりも第１の絞り値（Ａｖ値）が小径側へ変更され、第１の絞り値はＡｖ５．８であり、第１の絞り値に基づく第２絞り値の許容範囲範囲（破線四角形で表示）も小径側へ移動する。ボディ側制御部２３０は、前回の演算時に決定した図３（ｃ）の第２の絞り値（Ａｖ値）が、今回演算した第１の絞り値（Ａｖ４．８）に基づく第２絞り値の許容範囲（図３（ｄ）の破線四角形で表示）Ａｖ４．８〜５．８から外れるため、第２の絞り値（Ａｖ値）を小径側へ変更し、新たに仮想した範囲の中間値を第２の絞り値（Ａｖ値）に決定しようとする。
【００４７】
しかしながら、本実施の形態では、第２の絞り値（Ａｖ値）の小径側をＡｖ５までに制限する。第２の絞り値（Ａｖ値）の小径側に制限値を設けるのは、絞り３６２の開口径が小さくなるほど、上述した像ずれ量（位相差）の検出精度が低下するからである。位相差の検出精度の低下は焦点検出精度の低下につながるため、本実施の形態では、第２の絞り値（Ａｖ値）の小径側に制限値を設ける（本例ではＡｖ５）ことによって、ライブビューモード時の焦点検出精度の低下を抑えている。
よって、図３（ｃ）の状態よりも被写体の明るさがさらに明るくなった図３（ｄ）において、第２の絞り値の許容範囲は破線四角形で示すようにＡｖ４．８〜５．８であり、その中間値はＡｖ５．３であるが、実際に設定される第２の絞り値は黒塗の三角形（▼）で示す小径側の制限値Ａｖ５となる。
なお、第２の絞り値（Ａｖ値）の小径側の制限値は、例えば交換レンズ３の機種ごとに適宜変更して構わない。
【００４８】
図４（ａ）は、図３（ｄ）の状態よりも被写体の明るさがさらに明るくなった場合の第１の絞り値および第２の絞り値を説明する図である。ボディ側制御部２３０は、第１の絞り値（Ａｖ値）を決定する。
【００４９】
図４（ａ）の状態は、図３（ｄ）の状態よりも第１の絞り値（Ａｖ値）が小径側へ変更され、第１の絞り値はＡｖ６．８であり、第１の絞り値に基づく第２絞り値の許容範囲（破線四角形で表示）も小径側へ移動する。ボディ側制御部２３０は、維持されている第２の絞り値（Ａｖ５）は、今回演算した第１の絞り値に基づく第２絞り値の許容範囲（図４（ａ）の破線四角形で表示）Ａｖ５．８〜６．８から第２の絞り値（Ａｖ値）が外れているが、第２の絞り値（Ａｖ値）の小径側の制限値であるＡｖ５に維持する。図３（ｄ）の状態よりも被写体の明るさがさらに明るくなった場合であっても、図４（ａ）で第２の絞り値は黒塗の三角形（▼）で示す小径側の制限値Ａｖ５のままである。
【００５０】
ところで、第２の絞り値（Ａｖ値）の小径側を制限すると、表示部２９０に表示されるライブビュー画像が明るくなる（露出オーバーな状態）おそれが生じる。前述した第１のライブビューモードでは、このような表示画面の明るさの変化を抑えるため、ボディ側制御部２３０は、撮像素子２６０の露光時間（蓄積時間、Ｔｖ値）を短くしたり、感度（Ｓｖ値）を下げたりするとよい。このような制御により、表示部２９０に表示されるライブビュー画像の明るさの変化を抑えることができる。なお前述したように、第１のライブビューモードでは、このような表示画面の明るさの変化を抑える処理でユーザの設定（露出補正など）は反映しないが、第２のライブビューモードでは、ユーザの設定（露出補正など）も考慮して露光時間（蓄積時間、Ｔｖ値）や感度（Ｓｖ値）を決定する。
【００５１】
図４（ｂ）は、図４（ａ）の状態よりも被写体の明るさが暗くなった場合の第１の絞り値および第２の絞り値を説明する図である。
【００５２】
図４（ｂ）の状態では、図４（ａ）の状態よりも第１の絞り値（Ａｖ値）が開放側へ変更され、第１の絞り値はＡｖ６である。これに合わせて、第１の絞り値に基づく第２絞り値の許容範囲（破線四角形で表示）も開放側へ移動する。ボディ側制御部２３０は、前回、図４（ａ）で設定維持したＡｖ５が、今回演算した第１の絞り値に基づく第２絞り値の許容範囲（図４（ｂ）の破線四角形で表示）Ａｖ５〜６）の中にあり、かつ、許容範囲の中間値Ａｖ５．５が制限値（Ａｖ５）よりも小径側にあるため、第２の絞り値（Ａｖ値）を制限値であるＡｖ５に維持する。図４（ｂ）で小径側の制限値Ａｖ５に第２の絞り値が維持されていることを黒塗の三角形（▼）で示す。
【００５３】
図４（ｃ）は、図４（ｂ）の状態よりも被写体の明るさがさらに暗くなった場合の第１の絞り値および第２の絞り値を説明する図である。
【００５４】
図４（ｃ）の状態は、図４（ｂ）の状態よりも第１の絞り値（Ａｖ値）が開放側へ変更され、第１の絞り値はＡｖ４．８である。第１の絞り値（Ａｖ値）が開放側へ変更されたので、第１の絞り値に基づく第２絞り値の許容範囲（破線四角形で表示）も開放側へ移動する。ボディ側制御部２３０は、点線の三角形で示す小径側の制限値Ａｖ５で維持している図４（ａ）および図４（ｂ）の第２の絞り値（Ａｖ値）が、今回演算した第１の絞り値に基づく第２絞り値の許容範囲（図４（ｃ）の破線四角形で表示）Ａｖ３．８〜４．８から外れる場合には、第２の絞り値（Ａｖ値）を開放側へ変更する。図４（ｃ）の状態では、今回演算した第１の絞り値Ａｖ５に基づく第２絞り値の許容範囲（Ａｖ３．８〜４．８）の中間値Ａｖ４．３（図４（ｃ）の実線の三角形）を第２の絞り値（Ａｖ値）に決定する。
【００５５】
図４（ｄ）は、図４（ｃ）の状態よりも被写体の明るさがさらに暗くなった場合の第１の絞り値および第２の絞り値を説明する図である。
【００５６】
図４（ｄ）の状態では、図４（ｃ）の状態よりも第１の絞り値（Ａｖ値）が開放側へ変更されたＡｖ４．５であり、第１の絞り値に基づく第２絞り値の許容（破線四角形で表示）も開放側へ移動する。ボディ側制御部２３０は、前回の演算時に決定した図４（ｃ）の第２の絞り値Ａｖ４．３が、今回演算した第１の絞り値に基づく第２絞り値の許容範囲（図４（ｄ）の破線四角形で表示）Ａｖ３．５〜４．５に含まれているため、前回の演算時に決定した図４（ｃ）の第２の絞り値Ａｖ４．３を変更しないで維持する。第２の絞り値（Ａｖ値）を維持することによって、ライブビューモード時の絞り３６２の駆動の頻度を抑えることができる。
【００５７】
図５（ａ）は、図４（ｄ）の状態よりも被写体の明るさがさらに暗くなった場合の第１の絞り値および第２の絞り値を説明する図である。
【００５８】
図５（ａ）の状態は、図４（ｂ）の状態よりも第１の絞り値（Ａｖ値）が開放側へ変更され、第１の絞り値はＡｖ２．５である。ボディ側制御部２３０は、現在の第２の絞り値（図５（ａ）に破線の三角形で示すＡｖ４．３）が、演算された第１の絞り値（図５（ａ）ではＡｖ２．５よりも大きい場合は、現在の第２の絞り値（Ａｖ値）と第１の絞り値に基づく第２絞り値の許容範囲との比較を行なうことなく、第２の絞り値を第１の絞り値よりも小さくなるように設定する。上述の繰り返しとなるが、ライブビュー画像の焦点検出用画素信号により制御部２３０はデフォーカス量の算出などを行うため、撮影用に設定された第１の絞り値よりも、被写体像の焦点深度の浅い絞り値を第２絞り値として設定する。そこで今回新たに演算した第１の絞り値Ａｖ２．５が、維持している第２の絞り値Ａｖ４．３よりも開放側に位置するため、今回演算した第１の絞り値に基づく第２絞り値の許容範囲（Ａｖ１．５〜２．５）の中間値（Ａｖ２）を第２の絞り値（Ａｖ値）に決定する。
【００５９】
図５（ｂ）は、図５（ａ）の状態よりも被写体の明るさがさらに暗くなった場合の第１の絞り値および第２の絞り値を説明する図である。
【００６０】
図５（ｂ）の状態は、図５（ａ）の状態よりも第１の絞り値（Ａｖ値）が開放側へ変更され、第１の絞り値はＡｖ２．２である。これに合わせて第１の絞り値に基づく第２絞り値の許容範囲（破線四角形で表示）も開放側へ移動する。ボディ側制御部２３０は、前回の演算時に決定した図５（ａ）の第２の絞り値Ａｖ２が、今回演算した第１の絞り値に基づく第２絞り値の許容範囲Ａｖ１．２〜２．２（図５（ｂ）の破線四角形で表示）に含まれるため、前回の演算時に決定した図５（ａ）の第２の絞り値Ａｖ２を変更しないで維持する。第２の絞り値（Ａｖ値）を維持することによって、ライブビューモード時の絞り３６２の駆動の頻度を抑えることができる。
【００６１】
図５（ｃ）は、図５（ｂ）の状態よりも被写体の明るさがさらに暗くなった場合の第１の絞り値および第２の絞り値を説明する図である。図５（ｃ）の状態では、図５（ｂ）の状態よりも第１の絞り値（Ａｖ値）が開放側のＡｖ２へ変更され、仮想される範囲（破線四角形で表示）も開放側へ移動しＡｖ１〜２となる。
【００６２】
ここで、本実施の形態では、絞り３６２の開放上限値はＡｖ２であるものとする。つまり交換レンズ３の開放絞り値がＡｖ２（Ｆ値が２）である。ボディ側制御部２３０は、Ｂｖ値と記憶部２３５に格納されているプログラム線図の情報に基づいて算出される第１の絞り値（Ａｖ値）が開放上限値よりも開放側である場合には、第１の絞り値（Ａｖ値）を開放値に維持する。また、第１の絞り値（Ａｖ値）を開放値にする場合は、第２の絞り値（Ａｖ値）も第１の絞り値（Ａｖ値）と同じ開放値にする。図５（ｃ）において、黒塗の三角形（▼）は、開放値であることを示す。
【００６３】
以上説明したように、本実施の形態では、ライブビューモード時の絞り３６２の駆動の頻度を抑えるために、ライブビュー用絞り値である第２の絞り値を撮影用絞り値である第１の絞り値よりも常に開放側に設定し、被写体の明るさが変化しても第２の絞り値（Ａｖ値）の変更を極力行わないように制御する。
【００６４】
＜フローチャートの説明＞
上述したライブビューモードが第１および第２のいずれかのライブビューモードである時にボディ側制御部２３０が実行する処理の一例について、図６のフローチャートを参照して説明する。ボディ側制御部２３０は、例えばメインスイッチのオン操作に伴って起動する、または、所定の時間で無操作状態が続いくとスリープ動作に移行するが、そのスリープ動作が操作部材２８０の操作により解除されると、図６のフローチャートによる処理を開始させる。スリープ動作の解除（通常状態への復帰）は、操作部材２８０を構成するスイッチ等が操作された場合に行う。操作は、例えばレリーズボタンに対する半押し操作でもよい。図６は電源オンもしくはスリープ動作の解除によりライブビュー表示を行う処理を説明するが、ライブビュー表示はレリーズボタンの全押しが行われるまで繰り返し行われる。
【００６５】
ステップＳ１０において、ボディ側制御部２３０は、ライブビューモード時の露出設定を所定値（初期値）に制御し、撮像素子２６０に対する蓄積制御を行う。例えば、交換レンズ３へ絞り３６２を所定の初期値（上記第２の絞り値に対応）に駆動するように指示し、ライブビュー用の撮像における撮像素子２６０の蓄積時間および感度を所定の初期値に制御して、１コマ目のライブビュー画像を撮像するための蓄積動作を行わせる。
【００６６】
ステップＳ２０において、ボディ側制御部２３０は、撮像素子２６０から信号処理部２７０へ信号を読み出させてステップＳ３０へ進む。ボディ側制御部２３０は、ステップＳ３０において露出演算を行うことにより、上述したように第１の絞り値（撮影用絞り値）および第２の絞り値（ライブビュー用絞り値）を算出する。すなわち、ボディ側制御部２３０は、信号処理部２７０に入力された撮像用画素信号に基づいて被写体の明るさ情報（Ｂｖ値）を検出し、Ｂｖ値と、記憶部２３５に格納されているプログラム線図の情報とに基づいて、撮影用絞り値（第１の絞り値、Ａｖ値）、シャッタ速度（Ｔｖ値）、および感度（Ｓｖ値）を決定する。さらに、ボディ側制御部２３０は、第１の絞り値とは別に第２の絞り値の許容範囲を算出する。算出した第１の絞り値、第２の絞り値の許容範囲を含む各制御値は、記憶部２３５に記憶させておく。
【００６７】
また、ステップＳ３０において、ボディ側制御部２３０はデフォーカス量も算出する。ボディ側制御部２３０は、信号処理部２７０に対し、撮像素子２６０の焦点検出用画素から出力された信号を用いて、上述したようにデフォーカス量を算出させる。
本実施の形態では、ステップＳ３０でデフォーカス量を算出するが、この時点ではフォーカシングレンズの駆動はまだ行わない。
【００６８】
ステップＳ４０において、ボディ側制御部２３０は図３〜５を用いて説明したように第２の絞り値（ライブビュー用の絞り値）に絞り３６２を設定したうえで、ライブビュー表示を行う。ボディ側制御部２３０は、信号処理部２７０に対し、撮像素子２６０から出力された撮像用画素信号を用いてライブビュー画像を生成させ、生成されたライブビュー画像を表示部２９０に表示させる。
【００６９】
ステップＳ５０において、ボディ側制御部２３０はレリーズボタンが半押し操作されたか否かを判定する。ボディ側制御部２３０は、レリーズボタンが半押し操作された場合にステップＳ５０を肯定判定してステップＳ６０へ進み、半押し操作されない場合にはステップＳ１０へ戻る。
【００７０】
ステップＳ６０において、ボディ側制御部２３０は、信号処理部２７０によってステップＳ３０で算出されたデフォーカス量に基づき、交換レンズ３に対してレンズ３６１を構成するフォーカシングレンズを光軸Ｏの方向に沿って移動させる。すなわち、レンズ側制御部３３０からレンズ駆動部３７０へフォーカシングレンズの駆動指示を行わせ、合焦駆動動作を行う。その後ステップＳ７０へ進む。
【００７１】
ステップＳ７０において、ボディ側制御部２３０はレリーズボタンが全押し操作されたか否かを判定する。ボディ側制御部２３０は、レリーズボタンが全押し操作された場合にステップＳ７０を肯定判定してステップＳ８０へ進み、全押し操作されない場合にはステップＳ７０を否定判定してステップＳ１０へ戻る。
【００７２】
ステップＳ１０へ戻ったボディ側制御部２３０は、再びステップＳ１０以降の処理を行う。ライブビューモード時の２コマ目以降の露出設定は、記憶部２３５に記憶されている第２の絞り値と、記憶部２３５に記憶されているシャッタ速度（Ｔｖ値）および感度（Ｓｖ値）とを用いる。ここで、記憶部２３５に記憶されているシャッタ速度（Ｔｖ値）および感度（Ｓｖ値）は、少なくとも一方を補正してよいものとする。この理由は、上述した通り、被写体の明るさの変化に伴って表示部２９０に表示されるライブビュー画像の明るさが変化する場合が生じるので、シャッタ速度（Ｔｖ値）や感度（Ｓｖ値）を補正することによって、表示されるライブビュー画像の明るさを調節するためである。
【００７３】
レリーズボタンが全押し操作された場合に進む（ステップＳ７０を肯定判定）ステップＳ８０において、ボディ側制御部２３０は、記録用の画像を撮像するための蓄積動作を行わせる。その際に、記憶部２３５に記憶されている絞り３６２を第１の絞り値（撮影用の絞り値、Ａｖ値）に設定し、アペックス演算で算出し記憶部２３５に記憶されているシャッタ速度（Ｔｖ値）で撮像素子２６０の蓄積制御を行い、同じくアペックス演算で算出し記憶部２３５に記憶されている感度（Ｓｖ値）処理を行う。
【００７４】
ステップＳ９０において、ボディ側制御部２３０は、撮像素子２６０から信号処理部２７０へ信号を読み出してステップＳ１００へ進む。ステップＳ１００において、ボディ側制御部２３０は、信号処理部２７０に対し、撮像素子２６０から出力された撮像用画素信号に所定の画像処理を行わせ、記録用の画像を生成させる。これにより、信号処理部２７０が所定の画像処理を行って記録用の画像を生成する。
【００７５】
ステップＳ１１０において、ボディ側制御部２３０は画像表示を行う。すなわち、ボディ側制御部２３０は、ステップＳ１００において信号処理部２７０で処理された画像を表示部２９０に表示させる。
ステップＳ１２０において、ボディ側制御部２３０は、信号処理部２７０で処理された画像のファイルを記録ユニット１００に記録させる。
【００７６】
ステップＳ１３０において、ボディ側制御部２３０はライブビューモードが終了したか否かを判定する。ボディ側制御部２３０は、ライブビューモードが終了した場合にステップＳ１３０を肯定判定して図６による処理を終了する。ライブビューモードが終了しない場合にはステップＳ１３０を否定判定してステップＳ１０へ戻る。
ここで、ライブビューモードが終了するとは、電源ＯＦＦされた状態、ユーザの操作により表示部２９０にメニューの表示をされた状態、スリープ動作に移行などでライブビューを表示する必要がない状態になることである。
【００７７】
なお、図６の表示処理（Ｓ１００）と記録処理（Ｓ１１０）は、処理の順番を入れ替えてもよいし、並行して行ってもよい。
また、本実施の形態ではステップＳ３０でデフォーカス量を算出し、ステップＳ５０で半押し操作がなされた後にステップＳ６０でフォーカシングレンズの駆動を行っているが、ステップＳ３０でデフォーカス量を算出するとともにフォーカシングレンズを駆動しても良い。
【００７８】
上述した実施の形態の第１および第２のいずれかのライブビューモードでは、次の作用効果が得られる。
（１）カメラボディ２と、絞り３６２を備える交換レンズ３とで構成されるカメラシステム（カメラシステム１）は、測光値に基づいて撮影用の絞り値である第１の絞り値を演算するボディ側制御部２３０と、第１の絞り値とに基づいて、ライブビュー用絞り値である第２の絞り値を絞り値許容範囲内で設定するボディ側制御部２３０とを備える。このように構成したので、被写体の明るさが変化して第１の絞り値が変化したとしても、第２の絞り値が絞り値許容範囲内に設定されていれば、変化した第１の絞り値に直ちに連動して変化することなく設定されている第２の絞り値を維持する。これにより、ライブビューモード時において頻繁に絞り３６２が駆動されることが抑えられ、駆動音を減らすことができる。また絞り変更頻度が下がるため、レンズの絞り機構の耐久性を向上させることができる（耐久摩耗を抑えることができる）。ライブビューモード時の絞り３６２の駆動を抑えることは、ライブビュー画像を表示する表示部２９０の画面のちらつきを抑える点においても好適である。さらにまた、絞り３６２の駆動を繰り返すことによって生じる測光時のハンチング現象を避ける点においても好適である。
【００７９】
（２）上記の第２の絞り値の絞り値許容範囲は、第１の絞り値に基づいて設定されるようにしたので、被写体の明るさに対応させた適切な範囲で絞り値制限範囲を設定することができる。
【００８０】
（３）上記の第２の絞り値（ライブビュー用の絞り値）の絞り値許容範囲は、第１の絞り値（撮影用の絞り値）よりも常に開放側に設けるようにした。一般に、絞り３６２の開口径が大きい（大径側）ほど、上述したように被写体像の焦点深度が浅くなるので像ずれ量（位相差）の検出精度が向上する。本実施の形態では、第１の絞り値よりも絞り３６２の開口径を大きくする側（開放側）に絞り値制限範囲を設定したことにより、位相差検出の精度、ひいては焦点検出精度の低下を抑制できる。
【００８１】
（４）ボディ側制御部２３０は、被写体の明るさが変化して第１の絞り値が更新される（新たに算出される）と上記の第２の絞り値の絞り値許容範囲を更新する。また、ボディ側制御部２３０は、設定されている（前回算出した）第２の絞り値が更新された絞り制限範囲内の場合、第２の絞り値を変更しない。このように構成したので、ライブビューモード時における絞り３６２の駆動の頻度を抑えることができる。
【００８２】
（５）ボディ側制御部２３０は、被写体の明るさが変化して新たに算出した第１の絞り値（撮影用の絞り値）が、前回の算出結果によって設定されている第２の絞り値より開放側である場合、第２の絞り値（ライブビュー用の絞り値）を算出した第１の絞り値よりも開放側に設定する。そして第２の絞り値の絞り許容範囲を更新し、更新された絞り制限範囲で第２の絞り値を再設定（更新）する。このように構成したので、第１の絞り値よりも絞り３６２の開放側に絞り値制限範囲を設定し、焦点検出精度の精度を低下させることなく、ライブビューモード時の絞り３６２の駆動を抑えることができる。
【００８３】
（６）上記の第２の絞り値（ライブビュー用の絞り値）の絞り値許容範囲は、第１の絞り値よりも開放側（本実施の形態では第１の絞り値よりも１段開放側）に設定した。そしてボディ側制御部２３０は、新たに設定される第２の絞り値を絞り値許容範囲の略中央に設定した。そのため、本実施の形態では、被写体の明るさ情報がアペックス値で０．５段以上増減しない限り、第２の絞り値を再設定（更新）しなくてよい。このように構成したので、絞り３６２を駆動する頻度を適切に抑えることができる。
【００８４】
（７）ボディ側制御部２３０は、第２の絞り値の絞り値許容範囲の上限下限を交換レンズ３の情報によって変化させるようにした。このように構成したので、例えばレンズ３６１の光学特性に合わせて、適切な値を設定することができる。
【００８５】
（８）交換レンズ３の情報は、第１の絞り値と第２の絞り値との間の光学特性の差に基づく誤差許容値、撮影距離、および撮影倍率の少なくとも１つである。このように構成したので、絞り値制限範囲の上限下限を、適切に設定することができる。
【００８６】
（９）カメラシステム１のカメラボディ２は、ボディ側制御部２３０によって第１の絞り値（撮影用の絞り値）および第２の絞り値（ライブビュー用の絞り値）を算出し、第２の絞り値への絞り３６２の駆動を交換レンズ３へ指示するボディ側制御部２３０を備える。このように構成したので、カメラボディ２側で演算を行って、絞り３６２を第２の絞り値へ駆動する指示をカメラボディ２が交換レンズ３へ送信することができる。
（１０）ボディ側制御部２３０は、第２の絞り値の絞り値許容範囲をオートフォーカスのモード（例えばシャッターボタンを半押しして一度合焦させると半押し中は焦点位置を固定するモードや半押し中は合焦動作を繰り返し行うモード）によって変更しても構わない。なおマニュアルモードにおいても第２の絞り値の絞り値許容範囲で絞りの制御を行ってもよい。
【００８７】
次のような変形も本発明の範囲内であり、変形例の一つ、もしくは複数を上述の実施形態と組み合わせることも可能である。
（変形例１）
上述した実施の形態のカメラシステム（カメラシステム１）で実行する処理は、カメラボディ２側のボディ側制御部２３０と、交換レンズ３側のレンズ側制御部３３０とで適宜分担する構成にしてもよい。
例えば、カメラボディ側において第１の絞り値および第２の絞り値を算出し、交換レンズ側の絞り３６２を駆動するための駆動力をカメラボディから交換レンズへ伝達してもよい。すなわち、カメラボディ２Ａは、第１の絞り値および第２の絞り値を演算するボディ側制御部２３０と、交換レンズ３Ａに備わる絞り３６２の駆動機構が絞り３６２を第２の絞り値へ駆動するための動力を発生するアクチュエータと、交換レンズ３Ａへ動力を伝達する伝達部材を備える。このように構成することにより、カメラシステムにおいて、ライブビューモード時における絞り３６２の駆動を抑えることができる。
【００８８】
（変形例２）
また、カメラボディ側において第１の絞り値および第２の絞り値を算出し、第２の絞り値をカメラボディから交換レンズへ送信する構成にしてもよい。交換レンズは、第２の絞り値を受信すると、絞り駆動部３８０によって第２の絞り値へ絞り３６２を駆動する。すなわち、交換レンズ３Ｂは、カメラボディ２のボディ側制御部２３０によって設定された第２の絞り値を受信するレンズ側通信部３４０と、絞り３６２を駆動する絞り駆動部３８０と、絞り駆動部３８０に、レンズ側通信部３４０で受信した第２の絞り値へ絞り３６２の駆動を指示するレンズ側制御部３３０とを備える。このように構成することにより、カメラシステムにおいて、ライブビューモード時における絞り３６２を駆動する頻度を適切に抑えることができる。
【００８９】
なお、上記ではレンズ制御部３３０は、絞り３６２の制御をアペックス演算に基づく絞り値の値（Ａｖ値）で制御をする例を説明したが、レンズ制御部３３０は、絞り値を交換レンズ３の開放絞り値からの絞り込み段数の値を用いて制御してもよい。
【００９０】
（変形例３）
上述した実施の形態のカメラシステム（カメラシステム１）ではカメラボディ２のボディ側制御部２３０において第１の絞り値および第２の絞り値の２つの絞り値を算出し、通信部を介して交換レンズ３のレンズ側制御部３３０へ第１の絞り値および第２の絞り値の２つの絞り値を送信する構成とした。しかしこれに限らず、ボディ側制御部２３０において第１の絞り値だけを算出し、通信部を介してレンズ側制御部３３０へ第１の絞り値だけを送信しても良い。その場合はレンズ側制御部３３０で自律的に第２の絞り値を設定する。すなわち、交換レンズ３のレンズ側制御部３３０において、カメラボディ２から受信した第１の絞り値に基づいてライブビュー用絞り値である第２の絞り値を絞り値許容範囲内で設定する。
上記の実施形態と同様に、レンズ側制御部３３０で設定する第２の絞り値（ライブビュー用の絞り値）の絞り値許容範囲は、第１の絞り値（撮影用の絞り値）よりも常に開放側とする。そして交換レンズ３のレンズ側制御部３３０で、カメラボディ２から送信される第１の絞り値と現在設定されている第２の絞り値とを比較する。上述した実施形態と同様に、レンズ側制御部３３０は、カメラボディ２から受信した第１の絞り値が変化したとしても、第２の絞り値が絞り値許容範囲内に設定でいれば、受信した第１の絞り値に直ちに連動して変化することなく設定されている第２の絞り値を維持する構成とする。上述の実施形態と同様に、交換レンズ３のレンズ側制御部３３０は、第２の絞り値（ライブビュー用の絞り値）の絞り値許容範囲を第１の絞り値（撮影用絞り値）よりも１段開放側に設定し、新たに設定される第２の絞り値を絞り値許容範囲の略中央に設定すれば、被写体の明るさ情報がアペックス値で０．５段以上増減しない限り、第２の絞り値を再設定（更新）しなくてよい。このように構成すれば、絞り３６２を駆動する頻度を適切に抑えることができる。
上記では、種々の実施の形態および変形例を説明したが、本発明はこれらの内容に限定されるものではない。本発明の技術的思想の範囲内で考えられるその他の態様も本発明の範囲内に含まれる。
【００９１】
次の優先権基礎出願の開示内容は引用文としてここに組み込まれる。
日本国特願２０１８−１３５１９７号（２０１８年７月１８日出願）
【符号の説明】
【００９２】
１…カメラシステム、２…カメラボディ、３…交換レンズ、２３０…ボディ側制御部、２３５…記憶部、２４０…ボディ側通信部、２７０…信号処理部、２９０…表示部、３３０…レンズ側制御部、３４０…レンズ側通信部、３５０…レンズ側記憶部、３６０…撮影レンズ、３６２…絞り、３７０…レンズ駆動部、３８０…絞り駆動部
【図１】
0006989018.tif 000002
【図２】
0006989018.tif 000003
【図３】
0006989018.tif 000004
【図４】
0006989018.tif 000005
【図５】
0006989018.tif 000006
【図６】
0006989018.tif 000007